(57)【特許請求の範囲】
【請求項１】
撮像手段が撮像した画像を取り込む画像取込手段と、
前記画像に含まれるコードシンボルに対応したコード情報を読み取るコード読取手段と、
前記画像に含まれるカーボンフットプリントに記載された二酸化炭素排出量を読み取る排出量読取手段と、
表示器の第１表示領域において、前記コードシンボルに対応するシンボル表示と前記カーボンフットプリントに対応するシンボル表示とを、前記撮像手段が撮像した画像に重ねて表示し、前記表示器の第２表示領域において、前記コード情報に対応する商品情報と、前記二酸化炭素排出量に応じたポイントとをテキスト表示する表示制御手段と、
前記コード情報に応じて商品の売上を登録するとともに、前記二酸化炭素排出量に応じたポイントを付与する売上登録手段と、
を有する店舗システム。
【請求項２】
撮像手段が撮像した画像を取り込む画像取込手段と、
前記画像に含まれるコードシンボルに対応したコード情報を読み取るコード読取手段と、
前記画像に含まれるカーボンフットプリントに記載された二酸化炭素排出量を読み取る排出量読取手段と、
表示器の第１表示領域において、前記コードシンボルに対応するシンボル表示と前記カーボンフットプリントに対応するシンボル表示とを、前記撮像手段が撮像した画像に重ねて表示し、前記表示器の第２表示領域において、前記コード情報に対応する商品情報と、前記二酸化炭素排出量に応じたポイントとをテキスト表示する表示制御手段と、
前記コード情報及び前記二酸化炭素排出量を出力する出力手段と、
を備える商品コード読取装置。
【発明の詳細な説明】
【技術分野】
【０００１】
本発明の実施形態は、店舗システム及び商品コード読取装置に関する。
【背景技術】
【０００２】
従来、スーパーマーケット等の店舗では、商品に添付されたバーコードや二次元コード（例えばＱＲコード（登録商標））等のコードシンボルをＣＣＤイメージセンサ等のデジタルカメラによって撮像し、その撮像した画像から検出したコードシンボルを検出して復号することで商品コードを読み取る商品コード読取装置が用いられている。店員は、顧客がカウンタ台に持ち込んだ買物カゴの中の収められている商品を取り出して商品コード読取装置のデジタルカメラにかざすことで、顧客が購入する商品を登録する。
【発明の概要】
【発明が解決しようとする課題】
【０００３】
ところで、近年は温暖化対策の一環として、二酸化炭素の排出量を低減するための取り組みが政府や民間の推進で行われている。この取り組みの一つとしては、二酸化炭素の排出量が少ない商品を顧客に選んでもらえるように、二酸化炭素の排出量などを示すカーボンフットプリントを商品に添付するものがある。しかしながら、二酸化炭素の排出量が少ない商品と、二酸化炭素の排出量が多い商品とが同じ値段である場合、顧客が二酸化炭素の排出量が少ない商品を選ぶ利点は少ないものであった。また、店舗では、購入商品に添付されたカーボンフットプリントに応じた割引きなどを行うことで、二酸化炭素の排出量の低減と、売上の向上とを図ることができるが、カーボンフットプリントに記載された二酸化炭素の排出量を入力する手間などが発生することとなる。例えば、上述した従来の商品コード読取装置では、カーボンフットプリントを読み取ることができないため、顧客が購入する商品を登録する際に店員が手入力でカーボンフットプリントに記載された二酸化炭素の排出量などを入力する必要があった。
【課題を解決するための手段】
【０００４】
上述した課題を解決するために、本発明の実施形態は、画像取込手段、コード読取手段、排出量読取手段、表示制御手段、売上登録手段を備える店舗システムである。また、本発明の実施形態は、画像取込手段と、コード読取手段と、排出量読取手段と、表示制御手段と、出力手段とを備える商品コード読取装置である。
【０００５】
画像取込手段は、撮像手段が撮像した画像を取り込む。コード読取手段は、前記画像に含まれるコードシンボルに対応したコード情報を読み取る。排出量読取手段は、前記画像に含まれるカーボンフットプリントに記載された二酸化炭素排出量を読み取る。表示制御手段は、表示器の第１表示領域において、前記コードシンボルに対応するシンボル表示と前記カーボンフットプリントに対応するシンボル表示とを、前記撮像手段が撮像した画像に重ねて表示し、前記表示器の第２表示領域において、前記コード情報に対応する商品情報と、前記二酸化炭素排出量に応じたポイントとをテキスト表示する。売上登録手段は、前記コード情報に応じて商品の売上を登録するとともに、前記二酸化炭素排出量に応じたポイントを付与する。
【図面の簡単な説明】
【０００６】
【図１】図１は、チェックアウトシステムを示す斜視図である。
【図２】図２は、ＰＯＳ端末及び商品コード読取装置のハードウェア構成を示すブロック図である。
【図３】図３は、ＣＰＵの機能構成を示すブロック図である。
【図４】図４は、本実施形態にかかる商品コード読取装置の動作の一例を示すフローチャートである。
【図５】図５は、読取窓における読取領域の例を示す概念図である。
【図６】図６は、表示デバイス、顧客用表示デバイスによる表示例を示す概念図である。
【発明を実施するための形態】
【０００７】
以下では、チェックアウトシステムを例に本実施形態にかかる店舗システム及び商品コード読取装置を図面を参照して説明する。チェックアウトシステムは、一取引にかかる商品の登録、精算を行うＰＯＳ端末と、商品に添付された商品コードなどを読み取る商品コード読取装置とを有する構成である。本実施形態は、飲食店やスーパーマーケット等の店舗に導入されたチェックアウトシステムへの適用例である。
【０００８】
図１は、チェックアウトシステム１を示す斜視図である。図１に示すように、チェックアウトシステム１は、一取引にかかる商品の登録、精算を行うＰＯＳ端末１１を備える。ＰＯＳ端末１１は、チェックアウト台５１上のドロワ２１上面に載置されている。ドロワ２１は、ＰＯＳ端末１１によって開放動作の制御を受ける。ＰＯＳ端末１１の上面には、オペレータ（店員）によって押下操作されるキーボード２２が配置されている。キーボード２２を操作するオペレータから見てキーボード２２よりも奥側には、オペレータに向けて情報を表示する表示デバイス２３が設けられている。表示デバイス２３は、その表示面２３ａに情報を表示する。表示面２３ａには、タッチパネル２６が積層されている。表示デバイス２３よりもさらに奥側には、顧客用表示デバイス２４が回転自在に立設されている。顧客用表示デバイス２４は、その表示面２４ａに情報を表示する。なお、図１に示す顧客用表示デバイス２４は、表示面２４ａを図１中手前側に向けているが、表示面２４ａが図１中奥側に向くように顧客用表示デバイス２４を回転させることによって、顧客用表示デバイス２４は顧客に向けて情報を表示する。
【０００９】
ＰＯＳ端末１１が載置されているチェックアウト台５１とＬ字を形成するようにして、横長テーブル状のカウンタ台１５１が配置されている。カウンタ台１５１の上面には、荷受面１５２が形成されている。荷受面１５２には、バーコードＢＣやカーボンフットプリントＭが付された商品Ａを収納する買物カゴ１５３が載置される。買物カゴ１５３は、顧客によって持ち込まれる第１の買物カゴ１５３ａと、第１の買物カゴ１５３ａから商品コード読取装置１０１を挟んだ位置に位置付けられる第２の買物カゴ１５３ｂとに分けて考えることができる。
【００１０】
カウンタ台１５１の荷受面１５２には、ＰＯＳ端末１１とデータ送受信自在に接続された商品コード読取装置１０１が設置されている。商品コード読取装置１０１は、薄型矩形形状のハウジング１０２を備える。ハウジング１０２の正面には読取窓１０３が配置されている。ハウジング１０２の上部には、表示・操作部１０４が取り付けられている。表示・操作部１０４には、タッチパネル１０５が表面に積層された表示デバイス１０６が設けられている。表示デバイス１０６の右隣にはキーボード１０７が配設されている。キーボード１０７の右隣には、図示しないカードリーダのカード読取溝１０８が設けられている。オペレータから見て表示・操作部１０４の裏面左奥側には、顧客に向けて設けられる表示装置であり、顧客に対して情報を表示するための顧客用表示デバイス１０９が設置されている。顧客用表示デバイス１０９の表示面には、顧客用タッチパネル１０９ａが積層されている。
【００１１】
顧客によって持ち込まれた第１の買物カゴ１５３ａには、一取引にかかる商品Ａが収納されている。商品Ａには、その商品Ａに関する商品コード（コード情報）が符号化されたバーコードＢＣと、その商品Ａにかかる二酸化炭素の排出量（以下、二酸化炭素排出量）を示すカーボンフットプリントＭとが貼付されている。商品Ａは、オペレータの手によって第２の買物カゴ１５３ｂへと移動される。この移動過程で、バーコードＢＣとカーボンフットプリントＭが商品コード読取装置１０１の読取窓１０３に向けられる。この際、読取窓１０３の奥側に配置された撮像部１６４（図２参照）はバーコードＢＣとカーボンフットプリントＭを撮像する。商品コード読取装置１０１では、撮像部１６４により撮像された画像に含まれる商品Ａに添付されたバーコードＢＣを検出してデコード（復号）することで、商品Ａに対応した商品コードを読み取る。また、商品コード読取装置１０１では、撮像部１６４により撮像された画像に含まれる商品Ａに添付されたカーボンフットプリントＭを検出し、そのカーボンフットプリントＭに記載されている二酸化炭素排出量をＯＣＲ（Optical  Character  Recognition）などで読み取る。次いで、商品コード読取装置１０１は、読み取った商品コードや二酸化炭素排出量をＰＯＳ端末１１へ出力する。なお、商品ＡによってはカーボンフットプリントＭが添付されていない場合や、バーコードＢＣとカーボンフットプリントＭの添付位置が離れているため、片方ずつを順次読み取る場合もあることから、ＰＯＳ端末１１への商品コードや二酸化炭素排出量の出力は、少なくとも一方を行えばよい。
【００１２】
バーコードＢＣとして記述された商品コードは、商品Ａを特定するために商品ごとに割り当てられたコードであり、一例として１３桁の数字であるＪＡＮコードである。なお、本実施形態ではコードシンボルとしてバーコードＢＣを例に説明するが、コードシンボルはＱＲコード（登録商標）等の二次元コードであってもよいことは言うまでもない。カーボンフットプリントＭには、商品Ａを製造するための原料の調達時から製造、運搬などに伴って発生する二酸化炭素排出量が示されている。例えば、カーボンフットプリントＭには、二酸化炭素排出量がグラム単位で示されている。
【００１３】
図２は、ＰＯＳ端末１１及び商品コード読取装置１０１のハードウェア構成を示すブロック図である。ＰＯＳ端末１１は、情報処理を実行する情報処理部としてのマイクロコンピュータ６０を備える。マイクロコンピュータ６０は、各種演算処理を実行し各部を制御するＣＰＵ６１（Central  Processing  Unit）に、ＲＯＭ６２（Read  Only  Memory）とＲＡＭ６３（Random  Access  Memory）とがバス接続されて構成されている。
【００１４】
ＰＯＳ端末１１のＣＰＵ６１には、前述したドロワ２１、キーボード２２、表示デバイス２３、タッチパネル２６、顧客用表示デバイス２４がいずれも各種の入出力回路（いずれも図示せず）を介して接続されている。これらは、ＣＰＵ６１による制御を受ける。
【００１５】
キーボード２２は、「１」、「２」、「３」…等の数字や「×」という乗算の演算子が上面に表示されているテンキー２２ｄ、仮締めキー２２ｅ、及び締めキー２２ｆを含む。キーボード２２は、テンキー２２ｄ、仮締めキー２２ｅ、及び締めキー２２ｆによるオペレータの操作入力をＣＰＵ６１へ出力する。キーボード２２は、オペレータからの操作を受け付ける操作手段である。
【００１６】
ＰＯＳ端末１１のＣＰＵ６１には、ＨＤＤ６４（Hard  Disk  Drive）が接続されている。ＨＤＤ６４には、プログラムや各種ファイルが記憶されている。ＨＤＤ６４に記憶されているプログラムや各種ファイルは、ＰＯＳ端末１１の起動時に、その全部又は一部がＲＡＭ６３にコピーされてＣＰＵ６１により順次実行される。ＨＤＤ６４に記憶されているプログラムの一例は、商品販売データ処理用のプログラムＰＲである。ＨＤＤ６４に記憶されているファイルの一例は、ストアコンピュータＳＣから配信されて格納されているＰＬＵファイルＦ１、ポイント換算ファイルＦ２である。
【００１７】
ＰＬＵファイルＦ１は、商品ごとにユニークに割り当てられた商品コードごとに、その商品の名称、単価、商品分類などの商品に関する情報を格納するファイルである。すなわち、ＰＬＵファイルＦ１は、商品コードに関連した関連情報として、その商品コードに対応した商品の名称、単価、商品分類などの情報を記憶している。ＰＯＳ端末１１では、商品コード読取装置１０１で読み取られた商品コードでＰＬＵファイルＦ１に記憶された情報を参照することで、読み取られた商品コードに対応した商品の売上を登録することができる。
【００１８】
ポイント換算ファイルＦ２は、商品にかかる二酸化炭素排出量に対応したポイント換算を行うためのファイルであり、二酸化炭素排出量ごとに付与するポイントが記憶されている。より具体的には、各商品分類において、二酸化炭素排出量が少なくなるに従って付与するポイントを段階的に増大するように、二酸化炭素排出量ごとに付与するポイントが記憶されている。ここでいうポイントとは、精算時などに顧客に提供するものであり、商品や金銭（値引きや割引きを含む）などのサービスと引換可能なものである。顧客は、付与されたポイントを提示するなどして、上述したサービスと引き換える。
【００１９】
例えば、ある同一の商品分類に属する二つの商品があるものとする。この二つの商品のうち一方の二酸化炭素排出量が少ない場合、その二酸化炭素排出量が少ない商品については付与するポイントを多くする。このように二酸化炭素排出量ごとに付与するポイントを調節することで、二酸化炭素排出量が少ない商品を選んだ顧客に対しポイントを多く付与することができる。このように、チェックアウトシステム１では、二酸化炭素排出量が少ない商品を選んだ顧客に対しポイントを多く付与することで、二酸化炭素の排出量の低減と、ポイント付与による売上の向上とを図ることが可能となる。
【００２０】
ＰＯＳ端末１１のＣＰＵ６１には、ストアコンピュータＳＣとデータ通信を実行するための通信インターフェース２５が入出力回路（図示せず）を介して接続されている。ストアコンピュータＳＣは、店舗のバックヤード等に設置されている。ストアコンピュータＳＣのＨＤＤ（図示せず）には、ＰＯＳ端末１１に配信されるＰＬＵファイルＦ１、ポイント換算ファイルＦ２が格納されている。
【００２１】
さらに、ＰＯＳ端末１１のＣＰＵ６１には、商品コード読取装置１０１との間でデータ送受信を可能にする接続インターフェース６５が接続されている。したがって、接続インターフェース６５は、商品コード読取装置１０１に接続している。また、ＰＯＳ端末１１のＣＰＵ６１には、レシートなどに印字を行うプリンタ６６が接続されている。ＰＯＳ端末１１は、ＣＰＵ６１の制御のもと、一取引の取引内容（精算金額や付与されたポイント）等をレシートに印字する。
【００２２】
商品コード読取装置１０１も、マイクロコンピュータ１６０を備える。マイクロコンピュータ１６０は、ＣＰＵ１６１にＲＯＭ１６２とＲＡＭ１６３とがバス接続されて構成されている。ＲＯＭ１６２には、ＣＰＵ１６１によって実行されるプログラムが記憶されている。ＣＰＵ１６１には、撮像部１６４、音声出力部１６５が各種の入出力回路（いずれも図示せず）を介して接続されている。撮像部１６４、音声出力部１６５は、ＣＰＵ１６１によって動作が制御される。表示・操作部１０４は接続インターフェース１７６を介してＰＯＳ端末１１に接続されている。表示・操作部１０４はＰＯＳ端末１１のＣＰＵ６１によって動作が制御される。
【００２３】
撮像部１６４は、ＣＣＤイメージセンサやＣＯＭＳイメージセンサなどであり、ＣＰＵ１６１の制御の下で読取窓１０３からの撮像を行う。例えば撮像部１６４では３０ｆｐｓの動画像の撮像を行う。撮像部１６４が所定のフレームレートで順次撮像したフレーム画像はＲＡＭ１６３に保存される。音声出力部１６５は、予め設定された警告音などを発生するための音声回路とスピーカなどである。音声出力部１６５は、ＣＰＵ１６１の制御の下で警告音などの音声による報知を行う。
【００２４】
さらに、ＣＰＵ１６１には、ＰＯＳ端末１１の接続インターフェース６５に接続して、ＰＯＳ端末１１との間でデータ送受信を可能にする接続インターフェース１７５が接続されている。ＣＰＵ１６１の制御の下、商品コード読取装置１０１の撮像部１６４によって撮像された画像から読み取られた商品コードや二酸化炭素排出量は、接続インターフェース１７５を介して出力され、接続インターフェース６５を介してＰＯＳ端末１１に入力される。
【００２５】
次に、ＣＰＵ１６１がプログラムを順次実行することで実現される商品コード読取装置１０１の機能部について、図３を参照して説明する。図３は、ＣＰＵ１６１の機能構成を示すブロック図である。図３に示すように、ＣＰＵ１６１は、プログラムを順次実行することにより、撮像画像取込部１６１１、バーコード読取部１６１２、カーボンフットプリント読取部１６１３、情報出力部１６１４、表示部１６１５としての機能を備える。
【００２６】
撮像画像取込部１６１１は、撮像部１６４に撮像オン信号を出力して撮像部１６４に撮像動作を開始させる。撮像画像取込部１６１１は、撮像動作開始後に撮像部１６４が撮像してＲＡＭ１６３に保存されたフレーム画像を順次取り込む。撮像画像取込部１６１１によるフレーム画像の取り込みは、ＲＡＭ１６３に保存された順に行われる。
【００２７】
バーコード読取部１６１２は、撮像画像取込部１６１１により取り込まれたフレーム画像に含まれる商品に添付されたコードシンボルを検出し、そのコードシンボルに対応した商品コード（コード情報）を読み取る。具体的には、取り込まれたフレーム画像を２値化した画像から輪郭線を抽出することで、画像に含まれる商品を検出する。次いで、検出した商品について、パターンマッチング技術によるバーコードの検出や、所定のファインダパターンから二次元コードの検出などを行う。次いで、バーコード読取部１６１２は、検出したバーコードや二次元コードを所定の規則に従ったコード情報（例えばＪＡＮコード）に変換することで、検出したバーコードに対応したコード情報を読み取る。
【００２８】
カーボンフットプリント読取部１６１３は、撮像画像取込部１６１１により取り込まれたフレーム画像に含まれる商品に添付されたカーボンフットプリントＭを検出し、そのカーボンフットプリントＭに記載された二酸化炭素排出量を読み取る。具体的には、バーコード読取部１６１２と同様にして画像に含まれる商品を検出する。次いで、検出した商品について、メモリなどに予め登録されているカーボンフットプリントの形状をもとに、パターンマッチング技術などを用いることでカーボンフットプリントＭを検出する。次いで、検出されたカーボンフットプリントＭに記載されている二酸化炭素排出量をＯＣＲ処理などによって読み取る。
【００２９】
情報出力部１６１４は、バーコード読取部１６１２が読み取ったコード情報やカーボンフットプリント読取部１６１３が読み取った二酸化炭素排出量を読取情報として接続インターフェース１７５を介してＰＯＳ端末１１へ出力する。これにより、ＰＯＳ端末１１では、出力された商品コードをもとにＰＬＵファイルＦ１を参照することで、バーコード読取部１６１２により読み取られた商品を識別して、その商品の売上などを登録することが可能となる。また、ＰＯＳ端末１１では、出力された二酸化炭素排出量をもとにポイント換算ファイルＦ２を参照することで、カーボンフットプリント読取部１６１３により読み取られたカーボンフットプリントＭに応じたポイントの付与を行うことが可能となる。
【００３０】
表示部１６１５は、表示デバイス１０６、顧客用表示デバイス１０９への表示出力を行う。具体的には、表示部１６１５は、表示デバイス１０６、顧客用表示デバイス１０９へ表示を行うための表示データを生成し、接続インターフェース１７５を介してＣＰＵ６１へ出力する。ＣＰＵ６１は、表示部１６１５からの表示データをもとに、表示デバイス１０６、顧客用表示デバイス１０９の表示を制御する。これにより、例えば表示・操作部１０４の顧客用表示デバイス１０９では、顧客に向けた表示が行われることとなる。
【００３１】
次に、商品コード読取装置１０１の動作について詳細に説明する。図４は、本実施形態にかかる商品コード読取装置１０１の動作の一例を示すフローチャートである。
【００３２】
図４に示すように、ＰＯＳ端末１１による商品登録の開始などに応じて処理が開始されると、撮像画像取込部１６１１は、撮像部１６４に撮像オン信号を出力して撮像部１６４による撮像を開始する（Ｓ１）。次いで、撮像画像取込部１６１１は、撮像部１６４が撮像してＲＡＭ１６３に保存されたフレーム画像（撮像画像）を取り込む（Ｓ２）。
【００３３】
次いで、バーコード読取部１６１２は、撮像画像取込部１６１１により取り込まれたフレーム画像に含まれる商品Ａに添付されたバーコードＢＣを検出し、そのバーコードＢＣに対応した商品コードを読み取る（Ｓ３）。次いで、カーボンフットプリント読取部１６１３は、撮像画像取込部１６１１により取り込まれたフレーム画像に含まれる商品Ａに添付されたカーボンフットプリントＭを検出し、そのカーボンフットプリントＭに記載された二酸化炭素排出量を読み取る（Ｓ４）。
【００３４】
図５は、読取窓１０３における読取領域Ｒの例を示す概念図である。図５に示すように、前述した商品Ａの移動過程において読取領域Ｒに商品Ａが映り込んだ場合、Ｓ３では、商品Ａに添付されたバーコードＢＣに対応した商品コードが読み取られることとなる。また、Ｓ４では、商品Ａに添付されたカーボンフットプリントＭに記載された二酸化炭素排出量（図示例では「１２３ｇ」）が読み取られることとなる。
【００３５】
次いで、情報出力部１６１４は、バーコード読取部１６１２が読み取った商品コード及びカーボンフットプリント読取部１６１３が読み取った二酸化炭素排出量を、読取情報として接続インターフェース１７５を介してＰＯＳ端末１１へ出力する（Ｓ５）。これにより、ＰＯＳ端末１１では、読み取られた商品コードに対応した商品の売上登録がＰＬＵファイルＦ１を参照することで行われる。この売上登録時にＰＬＵファイルＦ１を参照することで得られた、商品コードに対応した商品の名称、単価、商品分類などの情報は、接続インターフェース６５を介して商品コード読取装置１０１へ返信される。また、ＰＯＳ端末１１では、読み取られた二酸化炭素排出量に応じたポイントの付与がポイント換算ファイルＦ２を参照することで行われる。この付与されたポイントは、接続インターフェース６５を介して商品コード読取装置１０１へ返信される。
【００３６】
次いで、ＣＰＵ１６１は、ＰＯＳ端末１１から接続インターフェース６５を介して行われる返信、すなわち、商品コードに対応した商品の名称、単価、商品分類などの情報や、二酸化炭素排出量に応じて発生し、付与されたポイントを取得する（Ｓ６）。次いで、表示部１６１５は、バーコード読取部１６１２が商品コードや二酸化炭素排出量を読み取った際のフレーム画像と、ＰＯＳ端末１１から取得した情報、すなわち、読み取った商品コードに対応した商品の名称、単価、商品分類などの情報と、読み取ったカーボンフットプリントＭに記載された二酸化炭素排出量に応じて発生し、付与されたポイントとを表示デバイス１０６、顧客用表示デバイス１０９より表示する（Ｓ７）。
【００３７】
具体的には、表示部１６１５は、バーコード読取部１６１２が商品コードを読み取った際のフレーム画像をＲＡＭ１６３より読みだして表示デバイス１０６、顧客用表示デバイス１０９の表示画面上の所定の領域に表示するとともに、ＰＯＳ端末１１から取得した情報を表示デバイス１０６、顧客用表示デバイス１０９の表示画面上の別の領域に表示するための表示データを生成して、接続インターフェース１７５を介してＣＰＵ６１へ出力する。これにより、表示デバイス１０６、顧客用表示デバイス１０９には、バーコード読取部１６１２が商品コードやカーボンフットプリントＭを読み取った際のフレーム画像と、その商品コードに対応した商品の名称、単価、商品分類などの情報と、カーボンフットプリントＭに記載された二酸化炭素排出量に応じて発生し、付与されたポイントとが表示される。
【００３８】
図６は、表示デバイス１０６、顧客用表示デバイス１０９による表示例を示す概念図である。図６に示すように、表示デバイス１０６、顧客用表示デバイス１０９の表示画面は、表示領域Ｇ１、表示領域Ｇ２、表示領域Ｇ３を含む構成である。表示領域Ｇ１には、バーコード読取部１６１２が商品コードを読み取った際のフレーム画像が表示される。表示領域Ｇ２には、商品コードに対応した商品の名称、単価などの情報、カーボンフットプリントＭに記載された二酸化炭素排出量に応じて発生し、付与されたポイント、商品コードの読み取りによって既に登録された商品の単価などを合計した合計金額などが表示される。表示領域Ｇ３には、バーコード読取部１６１２が商品コードを読み取った商品の履歴、すなわち取引の登録が行われた購入商品の履歴が表示される。例えば、今回読み取りが行われて表示領域Ｇ２に表示されている商品の商品名「ＸＸＸＸ」とその購入数の他に、以前読み取りが行われた商品の商品名「ＹＹＹＹ」とその購入数などが表示される。この表示領域Ｇ３における購入商品の履歴の表示は、表示領域Ｇ２に表示した関連情報をＲＡＭ１６３などにスタックし、そのスタックした情報を読み出すことで情報出力部１６１４が行ってもよいし、ＲＡＭ６３にスタックしている購入商品にかかる情報をもとにＰＯＳ端末１１のＣＰＵ６１が行ってもよい。
【００３９】
上述した表示デバイス１０６、顧客用表示デバイス１０９の表示画面によりオペレータや顧客は、売上登録が行われた商品の画像とともに、その商品の詳細や、その商品に添付されたカーボンフットプリントＭに記載されている二酸化炭素排出量に応じて発生し、付与されるポイントを容易に確認できる。
【００４０】
また、図６に示すように、表示領域Ｇ１には、バーコード読取部１６１２が商品コードを読み取った際のフレーム画像に、その商品コードを読み取った際に検出されたバーコードを示すシンボル表示Ｇ１１が重畳して表示される。具体的には、バーコード読取部１６１２がフレーム画像から検出したバーコードの位置情報（フレーム画像における座標など）をもとに、情報出力部１６１４がフレーム画像にシンボル表示Ｇ１１を重畳した表示データを生成することで、上述した重畳表示が実施される。同様にしてフレーム画像には、検出されたカーボンフットプリントを示すシンボル表示Ｇ１２が重畳して表示される。このようにシンボル表示Ｇ１１、シンボル表示Ｇ１２がフレーム画像に重畳して表示されるため、商品コードを読み取ったバーコードや二酸化炭素排出量を読み取ったカーボンフットプリントをオペレータや顧客は容易に確認できる。
【００４１】
次いで、ＣＰＵ１６１は、ＰＯＳ端末１１から商品登録の終了通知などによる業務終了の有無を判定する（Ｓ８）。業務を継続する場合（Ｓ８：ＮＯ）、ＣＰＵ１６１は、Ｓ２へ処理を戻して処理を継続させる。業務を終了する場合（Ｓ８：ＹＥＳ）、撮像画像取込部１６１１は、撮像部１６４に撮像オフ信号を出力して撮像部１６４による撮像を終了し（Ｓ９）、処理を終了する。
【００４２】
ＰＯＳ端末１１では、上述した処理によって読み取られた商品コードに応じて商品の売上を登録するとともに、読み取られた二酸化炭素排出量に応じたポイントを付与する。付与されたポイントは、登録された商品の精算において、そのポイントに応じた値引や割引きとして利用されてもよいし、カード読取溝１０８などにより顧客が所持するポイントカードなどに記録してもよい。この場合は、別の精算時に顧客がそのポイントカードを提示することで、カード読取溝１０８などによりポイントカードに記録されたポイントを読み出し、そのポイントに応じた値引や割引きが行われることとなる。
【００４３】
本実施形態の商品コード読取装置１０１で実行されるプログラムは、ＲＯＭ等に予め組み込まれて提供される。本実施形態の商品コード読取装置１０１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４４】
さらに、本実施形態の商品コード読取装置１０１で実行されるプログラムを、インターネット等のネットワークに接続されたコンピュータ上に格納し、ネットワーク経由でダウンロードさせることにより提供するように構成しても良い。また、本実施形態の商品コード読取装置１０１で実行されるプログラムをインターネット等のネットワーク経由で提供または配布するように構成しても良い。
【００４５】
本実施形態の商品コード読取装置１０１で実行されるプログラムは、上述した各部（撮像画像取込部１６１１、バーコード読取部１６１２、カーボンフットプリント読取部１６１３、情報出力部１６１４、表示部１６１５）を含むモジュール構成となっており、実際のハードウェアとしてはＣＰＵ（プロセッサ）が上記ＲＯＭからプログラムを読み出して実行することにより上記各部が主記憶装置上にロードされ、撮像画像取込部１６１１、バーコード読取部１６１２、カーボンフットプリント読取部１６１３、情報出力部１６１４、表示部１６１５が主記憶装置上に生成されるようになっている。
【符号の説明】
【００４６】
１  チェックアウトシステム
１１  ＰＯＳ端末
６１  ＣＰＵ
１０１  商品コード読取装置
１０３  読取窓
１０４  表示・操作部
１０６  表示デバイス
１０９  顧客用表示デバイス
１６１  ＣＰＵ
１６４  撮像部
１６１１  撮像画像取込部
１６１２  バーコード読取部
１６１３  カーボンフットプリント読取部
１６１４  情報出力部
１６１５  表示部
ＢＣ  バーコード
Ａ  商品
Ｍ  カーボンフットプリント
Ｆ１  ＰＬＵファイル
Ｆ２  ポイント換算ファイル
Ｒ  読取領域
Ｇ１、Ｇ２、Ｇ３  表示領域
Ｇ１１、Ｇ１２  シンボル表示
【先行技術文献】
【特許文献】
【００４７】
【特許文献１】特開２００８−３３６４０公報
【図１】
0005502662.tif 000002
【図２】
0005502662.tif 000003
【図３】
0005502662.tif 000004
【図４】
0005502662.tif 000005
【図５】
0005502662.tif 000006
【図６】
0005502662.tif 000007